(57)【要約】  顎台と、前記顎台を楽器上に保持するための保持装置と、少なくとも１つの支持足部、ここで、該少なくとも１つの支持足部を介して前記顎台は前記楽器の表板上で支持される、とを含む楽器用顎当てであって、前記少なくとも１つの支持足部が、前記顎台上に解放可能に配置される、顎当てを提供する。
2014525605.tif 000002
【特許請求の範囲】
【請求項１】
顎台（３２）と、
前記顎台（３２）を楽器（１２）上に保持するための保持装置（３４；１２６）と、
少なくとも１つの支持足部（４２、４４；１３２、１３４）、ここで、該少なくとも１つの支持足部（４２、４４；１３２、１３４）を介して前記顎台（３２）は前記楽器（１２）の表板（１４）上で支持される、と
を含む楽器（１２）用顎当てにおいて、
前記少なくとも１つの支持足部（４２、４４；１３２、１３４）が、前記顎台（３２）上に解放可能に配置されること、を特徴とする顎当て。
【請求項２】
請求項１に記載の顎当てであって、前記保持装置（３４；１２６）が、前記楽器（１２）の前記表板（１４）に対向する裏板（１６）に対して支持されるように設けられる少なくとも１つの保持足部（１０６；１４０）を含み、特に、前記顎当てが、前記保持装置（３４；１２６）により、前記楽器（１２）に、該楽器の前記表板（１４）と前記裏板（１６）との間で緊締可能であること、を特徴とする顎当て。
【請求項３】
請求項１又は２に記載の顎当てであって、前記少なくとも１つの支持足部（４２、４４；１３２、１３４）が、前記楽器（１２）の前記表板（１４）の縁領域上で横板（１８）に向かう方向に支持されるように設けられること、を特徴とする顎当て。
【請求項４】
請求項１〜３のいずれか１項に記載の顎当てであって、前記顎当てが前記楽器（１２）に固定されると、自由空間（５２）、特にテールピース（２４）用の自由空間（５２）が、前記顎台（３２）と、前記少なくとも１つの支持足部（４２、４４；１３２、１３４）と、前記楽器（１２）の前記表板（１４）との間に形成されること、を特徴とする顎当て。
【請求項５】
請求項１〜４のいずれか１項に記載の顎当てであって、前記少なくとも１つの支持足部（４２、４４；１３２；１３４）が、前記顎台（３２）の外縁に又は該外縁の近傍に配置されること、を特徴とする顎当て。
【請求項６】
請求項１〜５のいずれか１項に記載の顎当てであって、少なくとも第１支持足部（４２；１３２）及び第２支持足部（４４；１３４）が設けられること、を特徴とする顎当て。
【請求項７】
請求項６に記載の顎当てであって、前記第１支持足部（４２；１３２）及び前記第２支持足部（４４；１３４）が互いから離間されており、前記第１支持足部（４２；１３２）と前記第２支持足部（４４；１３４）との間に隙間（５４）が在ること、を特徴とする顎当て。
【請求項８】
請求項７に記載の顎当てであって、前記顎当てが前記楽器に固定される時、前記隙間（５４）が、前記顎台（３２）と前記楽器（１２）の前記表板（１４）との間の自由空間（５２）と連通すること、を特徴とする顎当て。
【請求項９】
請求項１〜８のいずれか１項に記載の顎当てであって、前記保持装置（３４；１２６）が、前記少なくとも１つの支持足部（４２、４４；１３２、１３４）に固定される又は固定可能であること、を特徴とする顎当て。
【請求項１０】
請求項９に記載の顎当てであって、前記少なくとも１つの支持足部（４２；４４）が少なくとも１つの挿入案内部（１０４）を含み、前記保持装置（３４）の関連付けられた緊締要素（３８；４０）が、緊締方向（１１２）に対して斜めである挿入方向において、前記少なくとも１つの挿入案内部（１０４）内に挿入可能であるよう、該少なくとも１つの挿入案内部（１０４）が配置及び構成され、特に、前記緊締要素（３８；４０）が前記緊締方向（１１２）に調節可能であること、を特徴とする顎当て。
【請求項１１】
請求項１０に記載の顎当てであって、前記少なくとも１つの挿入案内部（１０４）が、前記少なくとも１つの支持足部（４２；４４）内の少なくとも１つのチャネル（１１６）により形成されること、を特徴とする顎当て。
【請求項１２】
請求項１〜１１のいずれか１項に記載の顎当てであって、前記少なくとも１つの支持足部（４２、４４；１３２、１３４）が、前記顎台（３２）に、ロック可能かつ回転可能に及び／又はロック可能かつ旋回可能に及び／又はロック可能かつ傾斜可能に固定可能であること、を特徴とする顎当て。
【請求項１３】
請求項１２に記載の顎当てであって、前記顎台（３２）が第１円弧要素（６０）を含み、該第１円弧要素（６０）が第１円弧領域（６２）を含むと共に、前記少なくとも１つの支持足部（４２、４４；１３２、１３４）が、第２円弧要素（８２）により、該第２円弧要素の第２円弧領域（８４）を介して、該第１円弧要素（６０）上で支持されること、を特徴とする顎当て。
【請求項１４】
請求項１３に記載の顎当てであって、前記円弧領域のうちの一方（６２；８４）が凹形状を有し、前記円弧領域のうちの他方（８４；６２）が前記凹形状に合致する凸形状を有すること、を特徴とする顎当て。
【請求項１５】
請求項１〜１４のいずれか１項に記載の顎当てであって、前記少なくとも１つの支持足部（４２、４４；１３２、１３４）が１つ以上の支持要素（８６ａ、８６ｂ）を含み、該１つ以上の支持要素（８６ａ、８６ｂ）が、前記顎台（３２）の、支持面に対して交差するように緊締方向（１１２）に配向される面（７６）上で支持されること、を特徴とする顎当て。
【請求項１６】
請求項１５に記載の顎当てであって、少なくとも第１支持要素（８６ａ）及び第２支持要素（８６ｂ）が設けられ、該支持要素の間に隙間が在ること、を特徴とする顎当て。
【請求項１７】
請求項１６に記載の顎当てであって、前記少なくとも１つの支持足部（４２、４４；１３２、１３４）が固定される時、前記顎台（３２）の少なくとも１つの固定スリーブ（６８）が前記隙間内に位置決めされること、を特徴とする顎当て。
【請求項１８】
請求項１〜１７のいずれか１項に記載の顎当てであって、
前記顎台（１２）が、特にねじ山（７０）を備える少なくとも１つの固定スリーブ（６８）を、前記少なくとも１つの支持足部（４２、４４；１３２、１３４）に関連付けられた関係において、該顎台に着座させていること、を特徴とする顎当て。
【請求項１９】
請求項１８に記載の顎当てであって、前記少なくとも１つの固定スリーブ（６８）が、前記顎台（１２）の表面（３６）に対して鋭角（７２）に配向され、前記鋭角（７２）が特に３０°〜６０°の範囲内にあること、を特徴とする顎当て。  
【請求項２０】
請求項１９に記載の顎当てであって、前記少なくとも１つの固定スリーブ（６８）が、前記顎台（１２）の外縁から離れるように内方へと配向されること、を特徴とする顎当て。
【請求項２１】
請求項１８〜２０のいずれか１項に記載の顎当てであって、前記少なくとも１つの支持足部（４２、４４；１３２、１３４）が、前記少なくとも１つの固定スリーブ（６８）を１つ以上のねじ（９２）に係合させることにより、前記顎台（１２）に解放可能に固定される又は固定可能であること、を特徴とする顎当て。
【請求項２２】
請求項１〜２１のいずれか１項に記載の顎当てであって、前記少なくとも１つの支持足部（４２、４４；１３２、１３４）が、前記楽器に対する支持面（４６）上にパッド（４８）を配置していること、を特徴とする顎当て。
【請求項２３】
請求項１〜２２のいずれか１項に記載の顎当てであって、異なる支持足部が、前記楽器（１２）に対する支持面（４６）と前記顎台（３２）に対する支持面との間の該支持足部の高さ（Ｈ）において及び／又は前記保持装置（３４；１２６）を固定するやり方において相違すること、を特徴とする顎当て。
【請求項２４】
請求項１〜２３のいずれか１項に記載の顎当てと、一組（１２２；１４８）の支持足部（４２、４４；１３２、１３４）とを含む顎当てシステムであって、前記一組の支持足部が少なくとも２つの異なる支持足部を含む、顎当てシステム。
【請求項２５】
請求項１〜２３のいずれか１項に記載の顎当てを備える楽器。
【発明の詳細な説明】
【技術分野】
【０００１】
本発明は、顎台と、前記顎台を楽器上に保持するための保持装置と、少なくとも１つの支持足部、ここで、該少なくとも１つの支持足部を介して前記顎台が前記楽器の表板上で支持される、とを含む、楽器用顎当てに関する。
【０００２】
本発明は、更に、顎当てシステムに関する。
【０００３】
更に、本発明は楽器に関する。
【背景技術】
【０００４】
EP 1 067 508 A2又はUS 6,268,555 B1は、顎台と、顎台を楽器上に保持するための保持装置とを含む、楽器用顎当てであって、顎台を楽器と共に緊締するための緊締方向に調節可能である少なくとも１つの緊締要素を保持装置が含む、顎当てを開示する。顎台は少なくとも１つの緊締要素用の挿入案内部を含み、挿入案内部は、挿入方向が緊締方向に対して斜めになるように配置及び構成される。
【０００５】
DE 43 02 804 C2は、管部分から形成されて顎当てに隣接する担体を含む、バイオリン類の楽器用顎当てを開示する。
【０００６】
DE 359 170は、顎台が楽器にターンバックル締金により取り付けられる顎当てを開示する。
【０００７】
DE 621 416は、高さ及び方向を調節可能であるバイオリンホルダであって、玉継手という意味で完全に又は部分的に移動可能、かつ調節可能であるようにバイオリンのボディに取り付けられた緊締装置の上側クランプジョーに、顎骨の後方で掛止するように働く細長い上側ホルダが接続される、バイオリンホルダを開示する。
【０００８】
DE 202 08 751 U1は、好ましくは螺合スリーブ内に設けられるねじ山により顎当てに無限に可変的に螺入可能である２つの止めねじをその下側で収容し、これによって、楽器表板に対して支持するための、所望する任意の止めねじの距離を、及び異なる距離をも現実化する、弦楽器用顎当てを開示する。
【０００９】
US 7,531,727 B2は、本体と、第１支持部と、第２支持部と、顎パッドと、第３支持部とを含む、楽器用顎当てを開示する。第１支持部は、本体の第１端部から延び、楽器ボディの上縁に係合するための少なくとも１つの締金を有する。第２支持部は、本体の第２端部から延び、第１支持部から離間される場所にて楽器ボディの上縁に係合するための少なくとも１つの締金を有する。顎パッドは、顎収容面を包含し、本体に連結される。第３支持部は、楽器の上縁に沿った位置に接触することができる。
【００１０】
DE 195 32 900 A1は、予め作製されたカップ、プラスチック材料、及び硬化剤を使用して型からモデルの形成される、人間工学的に個々に形づくられ作成された顎台を開示する。
【００１１】
更なる顎台がUS 3,683,098に開示される。
【先行技術文献】
【特許文献】
【００１２】
【特許文献１】EP 1 067 508 A2
【特許文献２】US 6,268,555 B1
【特許文献３】DE 43 02 804 C2
【特許文献４】DE 359 170
【特許文献５】DE 621 416
【特許文献６】DE 202 08 751 U1
【特許文献７】US 7,531,727 B2
【特許文献８】DE 195 32 900 A1
【特許文献９】US 3,683,098
【発明の概要】
【発明が解決しようとする課題】
【００１３】
本発明の基礎をなす目的は、簡易かつ可変のやり方で使用することのできる、冒頭で言及された種類の顎当てを提供することである。
【課題を解決するための手段】
【００１４】
本発明によれば、この目的は、冒頭で言及した顎当てにおいて、前記少なくとも１つの支持足部が、前記顎台上に解放可能に配置されることにより達成される。
【００１５】
本発明による解決法を用いれば、前記顎当ての使用者は、適切な前記少なくとも１つの支持足部を選択することにより、前記楽器の前記表板に対する前記顎台の位置を容易に適合させ、自らの特定の要求を満たすことができる。使用者はこれによって、例として、前記顎台の、前記楽器の前記表板に対する様々な高さ距離を試み又は例えば様々な傾斜位置をも試みることができる。
【００１６】
これらの調節オプションは、同じ顎当て上で、前記少なくとも１つの支持足部を交換することにより達成することができる。
【００１７】
例として、前記顎当てを、変化する状況に容易に適合させることもこれによって可能である。例えば、支持足部の交換により、子供である使用者の成長が許容される。これによって、前記顎当ては、ある意味、子供と共に成長することができる。
【００１８】
対応する支持足部を使用することにより個々の要求に適合させることが可能であるため、在庫を低減することもできる。これによって、顎台に対するモデル多様性を低減することができる。
【００１９】
特に、前記顎当てが前記楽器から解放される時、前記少なくとも１つの支持足部は前記顎台から解放することができる。
【００２０】
前記保持装置が、前記楽器の前記表板に対向する裏板に対して支持されるように設けられる少なくとも１つの保持足部を含み、特に、前記顎当てが、前記保持装置により、前記楽器に、該楽器の前記表板と前記裏板との間で緊締可能であることが有利である。このことにより、前記顎当てを前記楽器に緊締する簡易な仕方が提供される。
【００２１】
前記少なくとも１つの支持足部が、前記楽器の前記表板の縁領域上で横板に向かう方向に支持されるように設けられることが有利である。この配置を用いれば、前記楽器の音響特性への干渉が最小限になる。
【００２２】
特に、前記顎当てが前記楽器に固定される時、自由空間、特にテールピース用の自由空間が、前記顎台と、前記少なくとも１つの支持足部と、前記楽器の前記表板との間に形成されることが有利である。これによって、前記テールピースの一部に前記自由空間を通過させることが可能である。これにより、前記楽器上で前記顎当てを最適に位置決めすることができる。例えば、これにより、テールピースハンガ用のエンドボタンの領域において顎当てを位置決めすることができる。
【００２３】
特に、前記少なくとも１つの支持足部は、前記顎台の外縁に又は該外縁の近傍に配置される。このことにより構造が簡易になる。前記顎台は、形状を、最適化され適合された、人間工学的なものに構成することができる。
【００２４】
少なくとも第１支持足部及び第２支持足部が設けられることが有利である。これによって、これらの支持足部の間に間隔を形成することができる。前記間隔は、例えば、テールピースハンガがそこを通過することを許容する。
【００２５】
その際、前記第１支持足部及び前記第２支持足部が互いから離間されており、前記第１支持足部と前記第２支持足部との間に隙間が在ることが有利である。
【００２６】
その際、前記顎当てが前記楽器に固定される時、前記隙間が、前記顎台と前記楽器の前記表板との間の自由空間と連通することが更に有利である。このようにして、テールピースを、その一部が前記自由空間内部にあるように位置決めすることができ、前記テールピースに固定されたテールピースハンガに、前記隙間をエンドボタンまで通過させることができる。
【００２７】
前記保持装置が、前記少なくとも１つの支持足部に固定される又は固定可能であることが特に有利である。その際、前記少なくとも１つの支持足部が、前記保持装置を前記顎台に対して固定するようにも使用される。
【００２８】
例示的な実施形態において、前記少なくとも１つの支持足部が少なくとも１つの挿入案内部を有し、前記保持装置の関連付けられた緊締要素が、緊締方向に対して斜めである挿入方向において、少なくとも１つの挿入案内部内に挿入できるよう、該少なくとも１つの挿入案内部が配置及び構成され、特に、前記緊締要素は前記緊締方向に調節可能である。
【００２９】
保持装置の対応する構成が、EP 1 067 508 A2又はUS 6,268,555 B1に記載される。これらの文献が明確に参照される。
【００３０】
前記挿入案内部を使用すれば、前記緊締要素は、前記顎台に永続的にしっかりと接続される必要がなく、必要な際に前記挿入案内部により除去でき又は挿入案内部内に挿入して前記顎当てを前記楽器と共に緊締できることが達成される。これにより、前記顎当てを空間節約的に保管及び運搬することができ、前記顎当ての分解及び組立ては迅速かつ容易になる。
【００３１】
前記緊締要素用に挿入案内部が設けられるため、前記緊締要素に使用される材料の選択肢がより自由になる。
【００３２】
前記緊締要素用の材料として使用されるものは金属に限定されない。金属を使用すると、前記楽器、特にバイオリンが演奏される時に前記緊締要素の金属が演奏者の首及び顔の皮膚と接触するという問題が生じるが、これらの皮膚は、特に敏感な皮膚の領域である。この問題は、金属に敏感な者においてはニッケルアレルギー等のアレルギーを引き起こし又は悪化させ得る。この点について、前記楽器を把持することで前記皮膚への圧力が増加することも考慮されるべきである。このことは、アレルギーを発現するリスクを更に増加させる。アレルギーを既に患う者は、先行技術から知られている前記顎当てを使用することができない。
【００３３】
更に、前記挿入案内部により、前記顎当てにねじ山を提供する必要がなくなるため、前記緊締要素は、前記演奏者の皮膚と接触するアレルギーを誘引する金属部分がないように、特に、耐容性の良好な材料を使用できるように構成することができる。従って、前記顎当ては、本発明によればこの接触を回避することができるため、欧州指令９４／２７／ＥＣに適合する。この欧州指令は、前記皮膚と長期に直接接触する、従ってアレルギー反応を引き起こすニッケル含有製品を市場に出すことを規制する。
【００３４】
前記少なくとも１つの緊締要素が前記挿入案内部により前記顎台上で解放可能に保持されることが特に有利である。これにより、前記顎当てを空間節約的に保管し、手頃に運搬することができる。前記緊締要素を挿入することにより、前記顎当ての時間効果的な組立て及び対応する分解が可能になり、前記顎当ては、その分解状態から出発して、時間効果的なやり方で前記楽器に連結することもできる。
【００３５】
前記挿入方向は、前記緊締方向に対して角度をつけることができる。前記角度は２０°〜７０°の範囲内にある。この角度が３５°〜５５°の範囲内にあることが特に有利である。これによって、前記顎当てが緊締される時、対応する保持ヘッドに不適当な負荷を引き起こすことなく、前記緊締要素が前記挿入案内部内に容易に挿入されることが確実になる。前記角度は４５°にほぼ等しいことが特に有利である。というのも、前記緊締方向が前記楽器の胴に対して基本的に垂直であれば、前記緊締要素の良好な挿入可能性と緊締作用中の最小負荷との間で最適条件を達成することができるからである。
【００３６】
製造に関して、前記挿入案内部が、前記顎台内の凹部により形成されることが特に有利である。顎台は普通、木製である。その際、前記挿入案内部は、前記顎台上での簡易なフライス作業により製作することができる。
【００３７】
実施形態の変形例において、緊締要素用の挿入案内部が、前記緊締要素用の案内チャネルを含むことが実現される。これによって、前記緊締要素は、前記挿入案内部内に確実に挿入することができ、この挿入案内部内で維持することもできる。
【００３８】
前記顎台が前記楽器に緊締されている時、支持要素上での前記緊締要素の良好な保持を確実にするために、そして特に、角変形等を回避するために、前記挿入案内部は、有利なことに、前記案内チャネルと連通する支持チャネルを含む。前記支持チャネルにより、前記挿入案内部上の前記緊締要素の保持領域を増加することができ、特に、前記緊締作用により誘起される力をより良好に吸収することができる。これを目的として、前記支持チャネルは、有利なことに、前記緊締方向に対して略垂直である又はこの緊締方向に対して小さい角度にある、前記緊締要素用の接触面を含む。このことにより、楽器と顎台との間で作用する緊締力は、前記緊締要素を介して良好に吸収することができる。
【００３９】
緊締要素用の前記挿入案内部が、別々の２つの案内チャネルを含むことが特に有利である。これによって、前記緊締要素は、前記挿入案内部内で確実に保持され、相応に挿入が容易になる。
【００４０】
前記顎当てと前記楽器との間の良好な緊締を確実にするために、緊締要素は、有利なことに、前記顎台との接続用に接続要素を含み、前記楽器との接触用に保持足部を含む、２部分設計である。従って、これらの２部分の、互いに対する移動を介して緊締力が及ぼされることが、簡易な設計を使用して可能になる。
【００４１】
前記接続要素と前記保持足部との間の相対位置を調節し固定するために、前記緊締要素は、有利なことに、設定装置を含む。この設定装置により、前記緊締要素を介して具体的に前記楽器に緊締力を及ぼすことができ、従って、１つ以上の前記緊締要素の前記保持足部を介して、前記顎台を前記楽器と共に緊締することができる。
【００４２】
特に簡易な設計の実施形態において、前記設定装置はねじ込み接続を含む。製造に関して、前記緊締要素が前記ねじ込み接続用の咬合容器を含むことは特に容易である。これにより、前記接続要素と前記保持足部との間で相対移動を遂行する簡易な仕方が提供され、故に、前記楽器と前記顎台との間の緊締作用が良好なものになる。
【００４３】
前記咬合容器はその中に、ねじナットが、この咬合容器に回転式に固定される関係において配置してあることが特に有利である。従って、前記緊締要素におけるねじ穴の必要をなくすことができ、これによって材料の選択肢は限定されなくなる。その際、更に、前記設定装置は、部品数を少なくして、即ち、基本的に２つの部品、つまり前記止めねじ及び前記関連付けられたねじナットを備えて、構成することができる。
【００４４】
前記咬合容器は、有利なことに、前記接続要素内に配置される。従って、前記ねじを前記楽器の前記下側から作動させることにより、前記顎当てを前記楽器と共に緊締することができる。
【００４５】
前記ねじ込み接続が前記緊締要素内部に配置されることが特に有利である。従って、金属製ねじが、皮膚に優しい材料であるように選ばれる前記緊締要素の材料により包囲される又はこの材料に組み込まれるため、前記顎当てが楽器上に保持してある前記楽器の演奏者は、前記ねじの前記金属材料と接触しない。
【００４６】
前記接続要素と前記保持足部との間の良好な変位能力を確実にする簡易な仕方を提供するために、前記接続要素は、有利なことに、前記保持足部用の変位案内部を含む。
【００４７】
前記接続要素は、有利なことに、その構成が前記挿入案内部の構成に適合する保持ヘッドを含む。これによって、本発明により構築される前記顎当ての、前記楽器上でのしっかりした保持を達成することができる。
【００４８】
これを目的として、実施形態の変形例において、前記保持ヘッドは、前記挿入案内部の案内チャネルに適合する案内ウェブを含む。これにより、前記挿入案内部内への前記緊締要素の挿入が良好になり、保持がしっかりしたものになる。
【００４９】
大きな保持領域を達成するために、前記案内ウェブは、有利なことに、前記保持ヘッド上で、保持ヘッドから側方で外方に延びるように配置される。更に、前記保持ヘッドは、有利なことに、前記挿入案内部の支持チャネルが、対応する接触面と接触するための接触面を含む。このようにして、前記緊締力を、前記挿入案内部により前記保持ヘッドを介して良好に吸収することができるため、保持が確実かつ安定したものになる。
【００５０】
特に、射出成形法を使用して前記保持ヘッドを製造できるようにするために、前記保持ヘッドは、前記挿入案内部内に挿入されるように設けられるその端部に、基本的にＵ形の輪郭を有する。歯形の輪郭又は同様の輪郭を設けてもよい。前記保持ヘッドは、中実でない構成であり、対応する内面も前記保持に貢献することができるため、一方で、これによって良好な保持が達成されるが、他方で、この構成が射出成形法に十分に役立つ。
【００５１】
有利なことに、前記挿入案内部内に挿入されるように設けられる前記端部の側に、案内ウェブが形成される。これらの案内ウェブは、前記保持領域を増強することにより前記保持を強化する。
【００５２】
特に有利な実施形態において、緊締要素の、前記顎当てにより前記楽器が把持される時に演奏者の皮膚と接触し得る部分は、皮膚に優しい材料製であり、特に、皮膚に優しいプラスチック材料製である。皮膚と金属との間の直接接触はこれによって回避されるため、本発明により構築される前記顎当ては、金属アレルギーを有する者により使用することもできるのであり、金属アレルギーが発現するリスクは低減する。
【００５３】
有利なことに、前記接続要素は、全体としてプラスチック材料製であり、前記保持足部もプラスチック材料製である。
【００５４】
前記接続要素を、射出成形法により費用効果的に製造できるようにするために、前記緊締要素の保持ヘッドは、有利なことに、保持ヘッドを形成する壁が基本的に同じ壁厚を有するように構成される。
【００５５】
これを目的として、前記保持ヘッドは、有利なことに、中央凹部を含み、これによって、一方で均一な壁厚が達成され、他方で前記保持領域が増加する。
【００５６】
実施形態の有利な変形例において、前記保持装置は２つの緊締要素を含む。２つの緊締要素を提供することにより、前記顎台は前記楽器上で確実に保持され、前記保持装置用に設けられるべき部品数が少なくなる。従って、前記２つの緊締要素を収容するためには、互いに離間された関係において配置される２つの挿入案内部が設けられるべきである。
【００５７】
前記少なくとも１つの支持足部が、前記顎台に、ロック可能にかつ、回転可能及び／又は旋回可能及び／又は傾斜可能に固定可能であることが特に有利である。本発明による解決法を用いれば、複数の支持足部が存在する場合、異なる高さの支持足部を使用することが可能である。これによって、前記顎台の、前記楽器の前記表板に対する傾斜を調節することができる。複数の支持足部が存在する場合、前記支持足部が異なる高さを有する場合であっても、前記顎台に固定するための支持足部の回転能力、旋回能力又は傾斜能力により、対応する前記支持面を１平面内に配向できることを達成することが可能である。
【００５８】
実施形態において、前記顎台は第１円弧要素を含み、該第１円弧要素が第１円弧領域を含むと共に、前記少なくとも１つの支持足部が、第２円弧要素により、該第２円弧要素の第２円弧領域を介して、該第１円弧要素上で支持される。これによって、ある種の軌道回転ベアリングが設けられ、対応する前記支持足部が前記顎台上の傾斜位置に調節される場合であっても支持することができる。このことにより、全ての支持足部を合わせたものの前記楽器の前記表板に対する平面的な接触面を達成することが可能になり、異なる高さの支持足部を使用することができる。
【００５９】
特に、前記円弧領域のうちの（前記第１円弧領域及び前記第２円弧領域の組のうちの）一方が凹形状を有し、（その組のうちの）他方の円弧領域が、前記凹形状に合致する凸形状を有する。
【００６０】
前記少なくとも１つの支持足部が１つ以上の支持要素を含み、該１つ以上の支持要素が、支持面に対して交差するように緊締方向に配向される面上で支持されることが更に有利である。前記緊締方向における前記支持面は、前記顎当てが前記楽器に緊締される時の主要な支持面である。前記支持面は、例えば円弧領域により形成される。前記１つ以上の支持要素により、それにより安定性の増す付加的な交差方向支持部（側方支持部）が設けられる。前記１つ以上の支持要素は、対応する前記支持足部の回転位置又は傾斜位置とは無関係に支持効果が達成されるように、容易に配置し構成することができる。
【００６１】
特に、少なくとも第１支持要素及び第２支持要素が設けられ、該支持要素の間に隙間が在る。その際、前記隙間にわたって前記支持足部を設置することができ、その際、特にねじ用の、前記少なくとも１つの支持足部を前記顎台に固定するための固定スリーブを前記隙間内に位置決めすることができる。
【００６２】
有利なことに、前記少なくとも１つの支持足部が固定される時、前記顎台の少なくとも１つの固定スリーブは前記隙間内に位置決めされる。前記固定スリーブはねじを収容することができ、例えば、円柱のやり方において円筒形とすることができる。
【００６３】
前記顎台が、特にねじ山を備える少なくとも１つの固定スリーブを、前記少なくとも１つの支持足部に関連付けられた関係において、この顎台に着座させていることが有利である。前記固定スリーブは、例えば円柱として構成される。その際、前記固定スリーブにねじが係合し、前記少なくとも１つの支持足部を前記顎台に固定することが可能である。
【００６４】
特に、前記少なくとも１つの固定スリーブは前記顎台の表面に対して鋭角に配向され、前記鋭角は特に３０°〜６０°の範囲内にある。これによって、最適化された空間条件を実現することができる。前記固定スリーブは、一方で、この固定スリーブが固定された前記顎当ての外観の全体としての美的印象を損なわないように位置決めすることができる。他方で、これによって、前記少なくとも１つの支持足部を前記顎台に固定するための固定領域は、前記保持装置を前記顎台に固定するための固定領域から離すことができる。
【００６５】
特に、前記少なくとも１つの固定スリーブは、前記顎台の外縁から離れるように内方へ向く。その際、前記少なくとも１つの固定スリーブは、円柱のやり方において、上方向に角度をもって後方から、前記顎台の前記外縁を越えて突き出すことなく、ただし上述のように内方を指して、突出する。これにより、空間条件が最適化される。
【００６６】
製造に関して簡易な実施形態において、前記少なくとも１つの支持足部は、前記少なくとも１つの固定スリーブを１つ以上のねじに係合させることにより、前記顎台に解放可能に固定される又は固定可能である。ねじを緩めることにより、対応する支持足部を、簡易なやり方で交換することができる。
【００６７】
前記少なくとも１つの支持足部は、前記楽器に対する支持面上にパッドを配置していることが有利である。このようにして、前記楽器は、擦り傷が付いたり若しくは損傷したりしないようにされる。
【００６８】
特に、異なる支持足部は、前記楽器に対する支持面と前記顎台に対する支持面との間の該支持足部の高さにおいて及び／又は前記保持装置を固定するやり方において相違する。これによって、適当な支持足部を選択することにより、前記顎台の相対位置を、高さと、前記楽器の前記表板に対する傾斜の両方に関して調節すること及び／又は前記顎台がそれと共に使用されるよう意図される保持装置の種類を調節することが可能である。
【００６９】
本発明によれば、本発明により構築される顎当てと、一組の支持足部とを含む顎当てシステムであって、前記一組の支持足部が少なくとも２つの異なる支持足部を含む、顎当てシステムが設けられる。これによって、前記顎当てが、特定の個人の要求を満たすように容易に適合することが可能である。
【００７０】
本発明により構築される顎当ては、本発明により構築される楽器に設けられる。
【００７１】
本発明をより詳細に説明するため、好適な実施形態を、図面と合わせて、以下に記載する。
【図面の簡単な説明】
【００７２】
【図１】本発明により構築される顎当ての第１例示的実施形態が固定されている楽器（バイオリン）の斜視部分図。
【図２】顎台に着座しているものとして示す第１支持足部と、顎台から解放されたものとして示す第２支持足部とを含む、図１による顎当ての顎台。
【図３】図２による顎台の、異なる図。
【図４】第１組の支持足部と第２組の支持足部とを含む、図２による顎台。
【図５（ａ）】支持足部の第１例示的実施形態を顎台に固定させたものとして示す、図２による顎台の正面図。
【図５（ｂ）】他の支持足部が顎台に固定されている、図５（ａ）と同じ図。
【図５（ｃ）】更に他の支持足部が顎台上に装着されている、図５（ａ）と同じ図。
【図５（ｄ）】更に他の支持足部が顎台に固定されている、図５（ａ）と同じ図。
【図６】顎当ての別の例示的実施形態が固定されている楽器の斜視部分図。
【発明を実施するための形態】
【００７３】
図１に記載しそこに参照符号１０で示した、本発明により構築される顎当ての例示的実施形態が、楽器としてのバイオリン１２に（解放可能に）固定される。バイオリン１２は、上にブリッジ（図面には示さず）が配置されている表板１４を含む胴１３を有する。胴１３は、表板１４の反対側に配置される裏板１６を含む。表板１４と裏板１６との間に介挿されるのは、横板１８である。
【００７４】
横板１８、特にその後方冠部領域２０において、エンドボタン２２が配置される。エンドボタン２２には、ループ２８を形成するテールピースハンガ２６（テールガット）によりテールピース２４を係留することができる。テールピース２４は、複数の弦（例としてバイオリンの場合は４本）を、特にファインチューナ３０により保持する。弦は、他端の領域では、対応するペグによりバイオリンのネックに固定される。
【００７５】
顎当て１０は顎台３２及び保持装置３４を含む。顎台３２は、保持装置３４により、バイオリン１２の胴１３に固定することができる。顎台３２は演奏家の顔と接触するように設計される。
【００７６】
顎台３２は、顎当て１０がバイオリン１２に固定された状態では表板１４から離れる方を向く表面３６を有する。顎台３２の表面３６は、顔の解剖学的構造に合致する。
【００７７】
顎当て１０の保持装置３４は、第１緊締要素３８及び第２緊締要素４０を含む。第１緊締要素３８及び第２緊締要素４０は、互いに離間された関係において顎台３２上に保持される。第１緊締要素３８及び第２緊締要素４０は、原則として同一構成である。
【００７８】
顎台上に配置されるのは、第１支持足部４２及び第２支持足部４４である。これらの支持足部の各々は支持面４６を有する。支持面４６に配置されるのは、例えばコルク要素とすることのできるパッド４８である。顎当て１０は、第１支持足部４２及び第２支持足部４４の支持面４６により、楽器１２の表板１４で、つまり表板１４の縁部領域で、横板１８に向かう方向に支持される。
【００７９】
第１支持足部４２及び第２支持足部４４は、顎台３２に解放可能に固定され、これによって、以下でより詳細に説明するように、交換可能になる。
【００８０】
顎台３２は、表面３６に対向する裏面５０を有する。顎当て１０が楽器１２に固定されると、裏面５０は、表板１４の方を向くが、この表板とは離間された関係にある。裏面５０を有する顎台３２と楽器の表板１４と支持足部４２、４４との間に、自由空間５２が形成される。
【００８１】
第１支持足部４２及び第２支持足部４４は互いから離間され、これらの支持足部の間に隙間５４を有する。隙間５４は、自由空間５２へと開いており、即ち自由空間と連通する。
【００８２】
これによって、顎当て１０はテールピース２４の上に装着することができる。テールピース２４はその一部が自由空間５２内部にあるように位置する。テールピースハンガ２６をエンドボタン２２に固定することができるよう、隙間５４はテールピースハンガ２６をこの隙間を通って延在させる。
【００８３】
第１支持足部４２及び第２支持足部４４は、顎台３２の裏面５０に解放可能に固定される。
【００８４】
顎台３２は、その後方領域５６において、その裏面５０に向かう方向に、隆起縁部領域５８を含む。隆起縁部領域は、第１支持足部４２に関連付けられた第１円弧要素６０を含む。第１円弧要素６０は、表面３６から離れる方を向く凹状円弧領域６２を規定する。凹状円弧領域６２は、第１支持足部４２を顎台３２に固定するための支持面を形成する。
【００８５】
顎台３２に着座しているのは、第２支持足部４４に関連付けられた、更なる第１円弧要素６４である。この更なる第１円弧要素６４も凹状円弧領域６２を有し、第２支持足部４４を支持する。
【００８６】
第１円弧要素６０及び更なる第１円弧要素６４は、特に、顎台３２と一体に形成される。
【００８７】
第１円弧要素６０及び更なる第１円弧要素６４は、例えば弓形の凹部６６をそれらの間に置いて互いから離間される。前記凹部６６は隙間５４の一部を形成する。
【００８８】
それぞれの第１円弧要素６０、６４に着座しているのは、特に円筒形の構成である円柱様のスリーブ６８である。特に、スリーブ６８は、円弧領域６２に対してほぼ中央に配置される。スリーブ６８には雌ねじ７０が設けられる。
【００８９】
スリーブ６８は、表面３６又は裏面５０に対して鋭角７２に配向される。この鋭角は例えば、３０°〜６０°の範囲内にある。例示的実施形態において、鋭角７２は約４５°である。
【００９０】
第１円弧要素６０及び６４は、各々、凹状円弧領域６２が上に形成してある壁７４を有する。壁７４は、凹状円弧領域６２に対して交差するように配向される面７６を有する。面７６に着座しているのは、顎台３２の後方領域５６から離れるように前方領域７８に向かう方を指す角度でそこから上方向に突き出しているスリーブ６８である。顎当て１０がバイオリン１２に装着される時、前方領域７８はブリッジの方を向く。
【００９１】
スリーブ６８は、面７６の領域を第１部分領域８０ａ及び第２部分領域８０ｂに細分化する。以下でより完全に記載するように、面７６は、それぞれの支持足部４２及び４４の支持要素用の支持面を形成する。
【００９２】
支持足部４２及び４４は、各々、凸状円弧領域８４を規定する第２円弧要素８２を含む。対応する支持足部（例えば第１支持足部４２）は、円弧領域８４により、顎台３２の第１円弧要素６０の関連付けられた凹状円弧領域６２にて支持される。
【００９３】
更に、第１支持足部４２及び第２支持足部４４は、各々、互いから離間される支持要素８６ａ、８６ｂを有する。前記支持要素８６ａ、８６ｂは、面７６にて支持できるように構成される。支持要素８６ａは第２部分領域８０ｂにて支持されるように設けられ、支持要素８６ｂは第１部分領域８０ａにて支持されるように設けられる。支持要素８６ａ、８６ｂが互いから離間されることにより、スリーブ６８が、対応する隙間を通過することが可能である。
【００９４】
第１支持足部４２及び第２支持足部４４は、各々、これらの支持要素間に開口８８を有し、開口８８は、その表面に向かう方向に拡大部９０を有する。開口８８をねじ９２に通過させることができ、ねじ９２はスリーブ６８の雌ねじ７０と係合することができる。拡大部９０は、ねじヘッド９４を収容するように働き、対応する支持足部４２、４４の表面を越えて突き出すことのないように、拡大部には皿穴が開けてある。
【００９５】
開口８８及び拡大部９０は、対応する支持足部４２、４４の、顎台３２に対する回転（傾斜、旋回）位置がロック可能に調節可能であるように構成される。円弧領域８４及び６２が互いに接触することにより、対応する第１支持足部４２の、顎台３２上でのある種の軌道転動を実施することができる。これによって、ねじ９２を介してロックすることにより、対応する回転位置（傾斜位置、旋回位置）を調節することができる。この傾斜位置は、対応する支持足部４２、４４の、対応する支持面４６の配向を決める。以下でより完全に説明するように、これによって、２つの支持足部４２、４４が異なる構成を有する場合であっても、第１支持足部４２及び第２支持足部４４の支持面４６の合計として、平面的な支持面を達成することが可能である。
【００９６】
対応する支持足部４２、４４の第２円弧要素８２は、突端要素９６に接続され、特に一体的に接続される。突端要素９６に着座しているのは、拡大部９０を含む開口８８である。対応する支持足部４２、４４が顎台３２に固定される際、突端要素９６は後方領域５６から離れるように前方領域７８に向かって突出する。突端要素９６は、傾いた表面９８を有する。
【００９７】
突端要素９６は、この突端要素上にパッド４８を着座させており、従って、この突端要素上に支持面４６が形成される。
【００９８】
保持装置３４は支持足部４２、４４に解放可能に固定可能であり又は固定される。第１緊締要素３８は第１支持足部４２に固定することができ、第２緊締要素４０は第２支持足部４４に固定することができる。
【００９９】
例示的実施形態において、保持装置３４は、参照されるEP 1 067 508 A2又はUS 6,269,555 B1に記載されたものと同じ仕方で構成される。第１緊締要素３８及び第２緊締要素４０は各々、保持ヘッド１０２が上に形成してある、特に一体的に形成してある接続要素１００を含む（図１を参照）。それぞれの支持足部４２、４４上に、挿入案内部１０４が形成される。挿入案内部１０４内には保持ヘッド１０２を挿入することができる。これによって、緊締要素３８及び４０を、この緊締要素に関連付けられた支持足部４２及び４４にそれぞれ固着することができる。
【０１００】
更に、緊締要素３８及び４０は各々、Ｌ形の輪郭を有する保持足部１０６を含む。保持足部１０６は、裏板１６及び横板１８と接触するための接触面を提供する。前記接触面には、対応するパッドが設けられる。このパッドは例えばコルク要素とすることができる。
【０１０１】
保持足部１０６は、接続要素１００上でロック可能に変位するために、変位案内部１０８により案内される。接続要素１００と保持足部１０６との間の相対位置は、設定装置１１０により固定することができる。設定装置は、例えば、接続要素１００の長手方向に配置された止めねじを含む。保持足部１０６の端部から、前記止めねじのねじヘッドがアクセス可能である。
【０１０２】
特に変位案内部１０８及び設定装置１１０に関する更なる詳細については、EP 1 067 508 A2又はUS 6,268,555 B1が参照される。
【０１０３】
顎当て１２を、保持装置３４により楽器１２の胴１３に緊締することができる。対応する、対向する緊締面としては、第１支持足部４２及び第２支持足部４４の、表板１４と接触するための支持面４６と、第１緊締要素３８及び第２緊締要素４０の保持足部１０６の、裏板１６と接触する対応する接触面とがある。正しく位置決めされた場合、緊締方向１１２は少なくともほぼ裏板１６と表板１４との間の距離の方向である。
【０１０４】
保持装置３４は、顎当て１０が解放可能になるように構成される。設定装置１１０を解放することにより緊締作用を解放することが可能であり、保持足部１０６と裏板１６との間の接触を解放することができる。その際、このことにより、顎当て１０を楽器１２から除去することができる。
【０１０５】
対応する支持足部４２、４４に形成された挿入案内部１０４は、この対応する支持足部４２、４４内に設けられた凹部１１４により形成される。凹部１１４は、緊締方向１１２に対して斜めに配向される案内チャネル１１６（図２を参照のこと）を含む。対応する角度１１７は例えば、２０°〜７０°、好ましくは３５°〜５５°の範囲内にある。好適な実施形態において、角度１１７は約４５°の範囲内にある。
【０１０６】
挿入案内部１０４は更に、案内チャネル１１６と連通する支持チャネル１１８を含む。支持チャネル１１８は接触面１２０を規定する。接触面１２０は、緊締方向１１２に対して交差方向に、特に少なくともほぼ垂直に配置される。接触面１２０は、対応する支持足部４２、４４の支持面に対して少なくともほぼ平行に配向され、保持ヘッド１０２が凹部１１４内に挿入される時顎台３２が緊締要素３８、４０を介して楽器１２と共に緊締されると保持ヘッドを支持するように働く。案内チャネル１１６は、支持チャネル１１８の構成よりも、緊締方向１１２に対して垂直な方向において広い構成である。
【０１０７】
それぞれの緊締要素３８、４０の保持ヘッド１０２は、対応する挿入案内部１０４に適合する。これを目的として、保持ヘッドは、例えばその上側端部に、接続要素１００の長手方向に対して鋭角１１７にて配置される案内ウェブを含む。案内ウェブは、挿入案内部１０４の案内チャネル１１６内に挿入されることが意図される。案内ウェブは、挿入案内部１０４に適合させるために、保持ヘッド１０２上で、この保持ヘッドから側方で外方に突出するように配置される。
【０１０８】
保持ヘッド１０２の更なる構成に関しては、EP 1 067 508 A2又はUS6,268,555 B1が参照される。
【０１０９】
本発明による解決法を用いれば、支持足部４２、４４を顎台３２から解放することができ、従って、支持足部は交換可能である。これによって、個々の使用者の要求を満たすように適合させることが可能である。
【０１１０】
特に、本発明によれば、顎当て１０、及び支持足部の組１２２（図４を参照のこと）を含む顎当てシステムが設けられる。支持足部４２及び４４は、各々、それらの支持面４６と、顎台３２に対するそれらの支持面、つまり円弧領域８４との間に、特定の高さＨを有する。その際、前記高さＨも、固定された顎台３２の、表板１４からの距離を決め、自由空間５２の構成を決める。
【０１１１】
図４に、組１２２の例により明示するように、異なる支持足部は、異なる高さＨ１、Ｈ２、Ｈ３、Ｈ４を有することができる。これによって、顎当て１０は、個々の要求を満たすように適合させることができる。
【０１１２】
これを図５（ａ）〜図５（ｄ）に概略的に示す。図５（ａ）による例示的実施形態において、各々が高さＨ４を有する第１支持足部４２及び第２支持足部４４が設けられる。この、図５（ａ）による例示的実施形態と比較すると、図５（ｃ）による例示的実施形態は、小さめの高さＨ１を有する支持足部を提供する。その際、顎台３２の表面３６は、図５（ａ）による例示的実施形態のほうが、図５（ｃ）による例示的実施形態よりも大きい、表板１４からの距離を有する。支持足部４２、４４を解放できることで、支持足部４２、４４を交換することにより、図５（ａ）による実施形態を図５（ｃ）による実施形態に、及びその逆に変換する簡易な仕方が提供される。
【０１１３】
図５（ａ）及び図５（ｃ）による実施形態における事例のように、同じ構成である支持足部を使用することが原則として可能である。更には、異なる高さＨの支持足部４２、４４が使用される場合、顎台３２の、表板１４に対する対応する傾斜位置を達成することができる。このことを図５（ｂ）及び図５（ｄ）に示す。図５（ｂ）の例において、第１支持足部４２は高さＨ１を有し、第２支持足部４４は、Ｈ１よりも大きい高さＨ３を有する。
【０１１４】
顎台３２に対して支持される時、第１支持足部４２及び／又は第２支持足部４４の、対応する傾斜調節により、第１支持足部４２及び第２支持足部４４の支持面４６が１平面内に在ることを達成することが可能である。円弧領域６２、８４を互いに対して支持することにより、これらの支持足部が異なる高さＨを有する場合であっても、第１支持足部４２及び／又は第２支持足部４４の、対応する位置決めを達成することができる。図５（ｂ）による例示的実施形態では、第１支持足部４２が回転して、支持面４６のこの平面的な配向が達成される。このロック可能な回転（傾斜）は、第１円弧要素６０及び第２円弧要素８２に互いの上で相応に転動させることにより達成される。
【０１１５】
図５（ｄ）は、第１支持足部４２が高さＨ３を有するように示され、第２支持足部４４が高さＨ１を有するように示されるというだけの、図５（ｂ）に示すのと同様の状況を示す。支持面４６が１平面内に在るようにするために、第２支持足部４４は、対応する転がり接触運動により傾斜する。
【０１１６】
本発明により構築される顎当ての更なる実施形態では、第１緊締要素１２８及び第２緊締要素１３０を含む保持装置１２６が設けられる。この実施形態を、図６に概略的に示し、そこに参照符号１２４で示す。第１緊締要素１２８は第１支持足部１３２にて固定され、第２緊締要素は第２支持足部１３４にて固定される。支持足部１３２、１３４は、各々、緊締要素１２８及び１３０がそれぞれそれにより固定される凹部１３６がこの支持足部に配置してある。凹部１３６には例えばねじ山が設けられ、凹部１３６内へピン要素１３８を螺入することができる。
【０１１７】
更に、第１緊締要素１２８及び第２緊締要素１３０は各々、保持足部１４０を含む。第１緊締要素１２８及び第２緊締要素１３０の保持足部１４０がウェブ１４２により接続されることを実現することができる。ウェブ１４２自体は保持足部１４０の一部とすることができ、例えば楽器１２に対する接触面を増加することができる。
【０１１８】
ピン要素１３８に雄ねじが設けられる。更に、保持足部１４０に接続されるピン要素１４４に雄ねじが設けられる。これらの２つの雄ねじは、刻みが反対である。それぞれのピン要素１３８及び１４４のねじ山へ、刻みが反対である雌ねじを含むユニオンナット１４６がねじ込まれる。これによって、支持足部１３２、１３４を備えた顎台を楽器１２の胴１３へと圧迫するために緊締力を作り出すことが可能である。
【０１１９】
その他の点では、支持足部１３２、１３４は上述のように構成される。特に、異なる高さＨを有する支持足部の組１４８（図４を参照のこと）が設けられる。
【０１２０】
本発明による解決法において、顎台（顎当てカップ）と支持足部４２、４４とは別々の部品である。これによって、顎当て１０を、特定の使用者の個々の必要性に可変的に適合させることが可能である。異なる高さＨを備えた支持足部４２、４４は固定することができ、従って、各使用者の必要性に人間工学的に適合させることができる。この適合自体は可変であるため、例えば顎当て１０を調節し、音楽家の体格の変化に適合させることができる（特に、このことは、成長する子供の変化する要求を許容することができる）。
【０１２１】
異なる高さの支持足部４２、４４を装着し、顎台３２の側方傾斜を達成すること、従って、最適化された適合を許容することも可能である。
【０１２２】
また、使用者は、顎台３２の、楽器１２に対する異なる位置を、複数の完全な顎当てを必要とすることなく容易に試みることができる。
【０１２３】
更に、異なるモデルの在庫低減が可能である。
【０１２４】
原則として、使用者は保持装置を、例えば組１２２の支持足部から組１４８の支持足部へ、及びその逆に切替えることにより、容易に交換することもできる。
【０１２５】
更に、本発明により構築される顎当て１０は特に、隙間５４により、テールピース２４の上で心出しされるように装着することができる。
【符号の説明】
【０１２６】
１０    顎当て（第１例示的実施形態）
１２    バイオリン
１３    胴
１４    表板
１６    裏板
１８    横板
２０    冠部領域
２２    エンドボタン
２４    テールピース
２６    テールピースハンガ
２８    ループ
３０    ファインチューナ
３２    顎台
３４    保持装置
３６    表面
３８    第１緊締要素
４０    第２緊締要素
４２    第１支持足部
４４    第２支持足部
４６    支持面
４８    パッド
５０    裏面
５２    自由空間
５４    隙間
５６    後方領域
５８    隆起縁部領域
６０    第１円弧要素
６２    凹状円弧領域
６４    更なる第１円弧要素
６６    凹部
６８    スリーブ
７０    雌ねじ
７２    鋭角
７４    壁
７６    面
７８    前方領域
８０ａ    第１部分領域
８０ｂ    第２部分領域
８２    第２円弧要素
８４    凸状円弧領域
８６ａ，ｂ    支持要素
８８    開口
９０    拡大部
９２    ねじ
９４    ねじヘッド
９６    突端要素
９８    傾いた表面
１００    接続要素
１０２    保持ヘッド
１０４    挿入案内部
１０６    保持足部
１０８    変位案内部
１１０    設定装置
１１２    緊締方向
１１４    凹部
１１６    案内チャネル
１１７    鋭角
１１８    支持チャネル
１２０    接触面
１２２    組
１２４    顎当て（第２例示的実施形態）
１２６    保持装置
１２８    第１緊締要素
１３０    第２緊締要素
１３２    第１支持足部
１３４    第２支持足部
１３６    凹部
１３８    ピン要素
１４０    保持足部
１４２    ウェブ
１４４    ピン要素
１４６    ユニオンナット
１４８    組
【図１】
2014525605.tif 000003
【図２】
2014525605.tif 000004
【図３】
2014525605.tif 000005
【図４】
2014525605.tif 000006
【図５（ａ）】
2014525605.tif 000007
【図５（ｂ）】
2014525605.tif 000008
【図５（ｃ）】
2014525605.tif 000009
【図５（ｄ）】
2014525605.tif 000010
【図６】
2014525605.tif 000011
【国際調査報告】
2014525605.tif 000012
2014525605.tif 000013
2014525605.tif 000014
2014525605.tif 000015